(57)【要約】【課題】複数の画像を合成してパノラマ画像を得るパノラマ撮影機能付カメラにおいて、パノラマ画像内における主要被写体を効率的に表示させることが可能な撮像装置及び画像再生方法を提供する。【解決手段】一連の撮影の中で連続的に取得した、複数の画像を合成してパノラマ画像を得るパノラマ撮影機能付カメラにおいて、所定の主要被写体を有する複数の撮影画像から前記主要被写体の画像領域を抽出する主要被写体抽出手段と、前記主要被写体抽出手段より求めた、主要被写体領域の座標位置情報を撮像装置に記憶する記憶手段と、撮影された各画像データを画像処理によって合成する合成手段を備え、画像の合成時に位置がずれた主要被写体座標位置を、パノラマ画像用に補正処理を実行し、補正した主要被写体座標位置をパノラマ画像に関連づけて保存する、主要被写体座標位置補正手段を有することを特徴とする構成とした。【選択図】  図１
2015023522.tif 000002
【特許請求の範囲】
【請求項１】
一連の撮影の中で連続的に取得した、複数の画像を合成してパノラマ画像を得るパノラマ撮影機能付カメラにおいて、所定の主要被写体を有する複数の撮影画像から前記主要被写体の画像領域を抽出する主要被写体抽出手段(13)と、前記主要被写体抽出手段(13)より求めた、主要被写体領域の座標位置情報を撮像装置に記憶する記憶手段(24)と、撮影された各画像データを画像処理によって合成する合成手段(21)を備え、画像の合成時に位置がずれた主要被写体座標位置を、パノラマ画像用に補正処理を実行し、補正した主要被写体座標位置をパノラマ画像に関連づけて保存する、主要被写体座標位置補正手段(19)を有することを特徴とする撮像装置。
【請求項２】
撮影画像をスクロール表示する表示手段(23)と、スクロール表示位置の切り替え操作を行う表示位置切り替え手段(16)を備え、前記主要被写体座標位置補正手段(19)にて保存された主要被写体座標位置を読み出し、前記表示位置切り替え手段(16)を用いて主要被写体座標位置へ表示範囲をスキップ移動することを特徴とする請求項1に記載の撮像装置。
【請求項３】
主要被写体座標位置へ表示範囲をスキップ移動した際に、他の主要被写体が1画面表示範囲の端面で切れてしまう座標位置に存在する場合、拡大表示やシフト表示により、1画面表示範囲の端面で切れてしまうことを防止することを特徴とする請求項2に記載の撮像装置。
【請求項４】
前記撮影画像の表示手段(23)へ複数の画像を一覧表示するサムネイル画面表示の際に、パノラマ画像の表示についてパノラマ画像全体表示と前記主要被写体座標位置補正手段(19)により保存された、主要被写体座標位置の表示を自動的に切り替えて表示することを特徴とする請求項1に記載の撮像装置。
【発明の詳細な説明】
【技術分野】
【０００１】
本発明は、複数の撮影画像の繋ぎ合わせを行う画像処理方法に関し、特に繋ぎ合わせ前の複数の撮影画像から抽出した、所定の主要被写体の座標位置について、繋ぎ合わせ後の画像に合わせて主要被写体の座標位置を補正する技術及び、繋ぎ合わせ後の画像の再生方法に関するものである。
【背景技術】
【０００２】
従来から撮像装置で、風景などのような広い視野の被写体を対象とした画像を得る場合に、カメラを動かしながら複数枚の画像の撮影を行い、撮影画像の繋ぎ合わせによりパノラマ画像を形成する機能を備えたものがある。従来のパノラマ撮影機能を有するデジタルカメラでは、通常よりも広角度の画像を撮影するものであるため、パノラマ画像全体を一画面に表示させようとすると、画像が小さく表示されてしまい、画像内における主要被写体等の詳細部の確認が困難となる場合があった。そこで、特許文献１では画像表示部の画面範囲いっぱいに画像データを表示し、ボタン操作で拡大スクロール表示することによりパノラマ画像を効果的に表示する撮像装置が開示されている。
【０００３】
また、特許文献2では撮影の際に主要被写体を抽出し、主要被写体関連情報に応じて撮影条件を調整する撮像装置が開示されている。
【先行技術文献】
【特許文献】
【０００４】
【特許文献１】特開平11-146243号公報
【特許文献２】特開2003-274271号公報
【発明の概要】
【発明が解決しようとする課題】
【０００５】
しかしながら、上述の特許文献1に開示された従来技術では、広角度のパノラマ画像をスクロール表示する際に、画像内における主要被写体の位置によっては、主要被写体を再生するまでに時間を要する場合があった。
【０００６】
また、特許文献2に開示された従来技術では、主要被写体関連情報を用いて撮影条件を調整するものであり、主要被写体に合わせた再生制御については開示されていなかった。
【０００７】
本発明は、上述の課題を解決するためになされたものであり、複数枚の画像を撮影する際に、主要被写体の座標位置を抽出し、画像データに座標データとして関連付けてカメラに保存する。
【０００８】
次に、複数枚の写真を並べて一枚のパノラマ写真を形成する際に、個々の画像データにおける主要被写体の座標位置を、繋ぎ合わせ後のパノラマ写真用に補正処理を行う。補正処理後の座標位置情報はパノラマ画像に関連付けて保存する。
【０００９】
次に、画像表示部でパノラマ画像を拡大スクロール表示中に、保存された主要被写体の座標位置情報を用い、ボタン操作によって主要被写体の座標位置にジャンプして表示する。
【００１０】
このように、広角度のパノラマ画像内における主要被写体を効率的に表示させることが可能な撮像装置及び画像再生方法を提供することを目的とするものである。
【課題を解決するための手段】
【００１１】
一連の撮影の中で連続的に取得した、複数の画像を合成してパノラマ画像を得るパノラマ撮影機能付カメラにおいて、所定の主要被写体を有する複数の撮影画像から前記主要被写体の画像領域を抽出する主要被写体抽出手段と、前記主要被写体抽出手段より求めた、主要被写体領域の座標位置情報を撮像装置に記憶する記憶手段と、撮影された各画像データを画像処理によって合成する合成手段を備え、画像の合成時に位置がずれた主要被写体座標位置を、パノラマ画像用に補正処理を実行し、補正した主要被写体座標位置をパノラマ画像に関連づけて保存する、主要被写体座標位置補正手段を有することを特徴とする撮像装置。
【発明の効果】
【００１２】
本発明によれば、複数の撮影画像の繋ぎ合わせにより生成した広角度なパノラマ画像等の再生の際に、パノラマ画像内における主要な被写体エリアの拡大再生の操作性を向上させる機能を提供することができる。
【図面の簡単な説明】
【００１３】
【図１】実施例１の主要被写体座標位置の補正の説明図
【図２】実施例２の主要被写体エリアへのスキップ表示の説明図
【図３】実施例３のパノラマ画像を含むサムネイル再生表示の説明図
【図４】実施形態のデジタルカメラの外観図
【図５】実施形態のデジタルカメラのシステム構成図
【図６】実施例１の主要被写体座標位置の補正シーケンスを表すフローチャート
【図７（ａ）】実施例２の主要被写体エリアへのスキップ表示のシーケンスを表すフローチャート(その１）
【図７（ｂ）】実施例２の主要被写体エリアへのスキップ表示のシーケンスを表すフローチャート(その２）
【図８】実施例３のパノラマ画像を含むサムネイル再生表示のシーケンスを表すフローチャート
【発明を実施するための形態】
【００１４】
以下に、本発明の好ましい実施の形態を、添付の図面に基づいて詳細に説明する。
【００１５】
［実施例１］
以下、本発明の実施形態を添付した図面を参照して説明する。図4は本発明のデジタルカメラの外観図を示し、図5に本発明を適用できるデジタルカメラの内部構成ブロック図、図1はパノラマ画像形成における主要被写体座標位置の補正の概念を説明する説明図、図6はパノラマ画像形成における主要被写体座標位置の補正シーケンスを表すフローチャートの図である。
【００１６】
図4に、デジタルカメラ(110)の外観図を示す。デジタルカメラ(110)の背面には図5における表示部(23)に対応するLCD（116）が設けられている。
【００１７】
また、図5におけるレリーズ操作ボタン(14)に対応するレリーズSW(111)、 MENU操作ボタン(15)に対応するMENU_SW(112)、方向キー操作ボタン(16)に対応する方向キーSW(115)、再生ボタン(17)に対応する再生SW(113)、拡大再生ボタン(18)に対応する拡大再生SW(114)が設けられている。
【００１８】
図5に本発明を適用できるデジタルカメラ(110)の内部構成ブロック図を示す。
【００１９】
デジタルカメラ(110)は、光学レンズ(10)、イメージセンサ(11)、撮像制御回路(12)、主要被写体制御回路(13)、レリーズ操作ボタン(14)、MENU操作ボタン(15)、方向キー操作ボタン(16)、再生操作ボタン(17)、拡大再生操作ボタン(18)、システム制御回路(19)、メモリ制御回路(20)、画像処理回路(21)、記録用メモリ(22)、表示部(23)、揮発性メモリ(24)、不揮発性メモリ(25)を有している。
【００２０】
被写体像は光学レンズ(10)を通過した後、イメージセンサ(11)に結像される。撮像制御回路(12)はイメージセンサ(11)の駆動制御を行うとともに、イメージセンサ(11)からの画像信号をアナログ/デジタル変換してシステム制御回路(19)に送る。イメージセンサ(11)はCCDやCMOSで構成され、被写体像を画像信号に変換して出力する。
【００２１】
メモリ制御回路(20)は、システム制御回路(19)の制御のもと、揮発性メモリ(24)、イメージセンサ(11)、画像処理回路(21)、記録用メモリ(22)、表示部(23)におけるデータ送受の制御を行う。システム制御回路(19)はカメラ全体を制御する回路であり、かつ、諸所の演算を行う演算回路も兼ねている。
【００２２】
揮発性メモリ(24)はSDRAMなどの高速アクセス可能なメモリである。不揮発性メモリ(25)はシステム制御回路(19)の動作用の定数、変数、プログラムを記録するメモリである。
【００２３】
記録用メモリ(22)はデジタルカメラから着脱可能なメモリである。メモリの空き容量が不足した場合は交換が可能な仕組みとなっている。
【００２４】
システム制御回路(19)の動作はレリーズ操作ボタン(14)、MENU操作ボタン(15)、方向キー操作ボタン(16)、再生操作ボタン(17)、拡大再生操作ボタン(18)からの指示信号により決定される。MENU操作ボタン(15)は各種カメラ設定を行う画面を表示し各モード設定を行う際に使用する。
【００２５】
撮影モードには、パノラマ撮影モード及び、1枚の画像のみを撮影する通常撮影モードの2つがある。パノラマ撮影モードは同一の高さで周囲を連続撮影することによって得られた、個々の画像データにおける、主要被写体の座標位置を抽出する。そして、個々の画像データを繋ぎ合わせ後、パノラマ画像用に主要被写体の座標位置の補正処理を行い、補正処理後の座標位置情報をパノラマ画像に関連付けて保存する撮影シーケンスのモードである。通常撮影モードはパノラマ撮影を行わない通常撮影シーケンスである。本発明とは直接関係ないので説明は省略する。
【００２６】
図6に、本実施形態の撮影シーケンスについてフローチャートを用いて説明する。
【００２７】
本フローチャートは、パノラマ撮影モードと通常再生モードの撮影シーケンスである。
【００２８】
撮影が開始されるとフローチャートに従うシーケンスが開始される。MENU_SW(112)より、パノラマ撮影モードが選択されたか否かを判別する(S101)。もしパノラマ撮影モードが選択された場合には、次のレリーズSW(111)の選択の状態を判別する(S102)。
【００２９】
もしレリーズSW(111)がON状態に選択されている場合、(S103)に進み、撮影画角範囲内における主要被写体の抽出を行う。もし主要被写体が存在する場合は、主要被写体抽出情報をシステム制御回路(19)に送る。主要被写体の抽出方法は主要被写体抽出回路(13)にて公知の顔検知技術や被写体位置の測距情報を用いて行う。
【００３０】
次に(S104)へ進み、図1(a)に示すように撮影範囲内における主要被写体座標位置情報を算出する。
【００３１】
一方、(S101)において、もしパノラマ撮影モードが選択されていない場合は通常撮影シーケンスを進める(S112)。通常撮影シーケンスについては、本発明とは直接関係ないので省略する。
【００３２】
一方、(S103)において主要被写体が撮影画角範囲内に無い場合は(S105)へ進む。(S105)では撮像制御回路(12)にて撮像処理を行う。
【００３３】
次に(S106)へ進み、撮影画像の保存処理を行い揮発性メモリ(24)へ保存する。(S104)にて算出した主要被写体座標位置情報がある場合は、撮影画像に関連付けて揮発性メモリ(24)へ保存する。
【００３４】
次に(S107)へ進み、パノラマ撮影モードが終了されたか否かを判別する。もし所定の枚数の撮影に達し、パノラマ撮影モードが終了された場合(S108)へ進む。
【００３５】
一方、パノラマ撮影モードが継続している場合、カメラを所定の画角位置へ移動する(S111)。
【００３６】
次に再度(S102)へ戻り、異なる画角での撮影シーケンスを繰り返す。
【００３７】
次に(S108)へ進み、パノラマ画像生成のため揮発性メモリ(24)に保存した個々の画像データと主要被写体の座標位置情報を読み出す。
【００３８】
次に画像処理回路(21)は図1 (a)(b) に示すように一連の撮影動作により得られた複数枚の撮影画像を撮影された順番に横に並べ、撮影画像間において重なり合う部分を合成する。
【００３９】
次に(S109)へ進み、パノラマ画像に合成した際の重なり合う領域を考慮し、 図1 (b) に示すように(S104)で算出した個々の画像における主要被写体の座標位置情報の補正処理を行う。
【００４０】
次に(S110)へ進み、合成された横長の画像と主要被写体の座標位置情報を関連づけ、1枚の画像データとして記録用メモリ(22)へ保存し、本シーケンスの処理を終了する。
【００４１】
図1に、本実施形態によるパノラマ画像の形成プロセスを表す例を示す。
【００４２】
図1 (a)は同一の高さで周囲を連続撮影することによって得られた、個々の画像データの例を示す。3枚の画像(200)〜(202)はそれぞれの画像の構図の傾きが全て略0の場合の例を示す。
【００４３】
パノラマ画像として繋ぎ合わせる際には、重ね合わせ部分の幅(Xa)を隣り合う画像と重ね合わせて形成する。(203)、(204)、(205)は2枚目と3枚目の画像において抽出される主要被写体であり、主要被写体はそれぞれの画像において(X1α)と(X1β) と(X2α)の座標位置に位置することを示す。
【００４４】
図1 (b)は個々の画像データを繋ぎ合わせて形成したパノラマ画像の例を示す。
パノラマ画像(206)は3枚の画像(200)〜(202)を繋ぎ合わせて形成したものである。主要被写体の座標位置は、繋ぎ合わせの際に重ね合わせ部分の幅(Xa)の領域分を考慮し、座標位置を補正する。
【００４５】
主要被写体(203)の補正後の座標位置は、パノラマ画像の原点(X00)から1枚目の画像(200) の端点(X0X)に加え、主要被写体の座標位置 (X1α)までの距離から重ね合わせ部分の幅(Xa)を差し引いたものである。
【００４６】
また、主要被写体(204)の補正後の座標位置は、パノラマ画像の原点(X00)から1枚目の画像(200) の端点(X0X)に加え、主要被写体の座標位置 (X1β)までの距離から重ね合わせ部分の幅(Xa)を差し引いたものである。
【００４７】
また、主要被写体(205)の補正後の座標位置は、パノラマ画像の原点(X00)から1枚目の画像(200) の端点(X0X)と、2枚目の画像(201)の端点(X1X)に加え、主要被写体の座標位置 (X2α)までの距離から重ね合わせ部分の幅(Xa)を2回分差し引いたものである。
【００４８】
このように、本発明では形成するパノラマ画像に、補正した主要被写体の座標位置情報を関連付けて保存する。
【００４９】
上記の通り、複数の撮影画像の繋ぎ合わせにより生成した広角度なパノラマ画像内におおける主要被写体の位置情報を補正し、パノラマ画像に関連付けて保存する機能を提供することができる。
【００５０】
［実施例２］
以下、本発明の実施形態を添付した図面を参照して説明する。
【００５１】
図2はパノラマ画像再生における主要被写体エリアへのスキップ表示の概念を説明する説明図、図7はパノラマ画像再生モードと通常画像の再生モードの再生シーケンスを表すフローチャートである。
【００５２】
再生モードには、パノラマ再生モード及び通常再生モードの2つがある。パノラマ再生モードは一連の撮影の中で連続的に取得した、複数の画像をつなぎ合わせて生成されたパノラマ画像を再生するモードである。
【００５３】
通常再生モードはパノラマ画像再生を行わない通常再生シーケンスである。本発明とは直接関係ないので説明は省略する。
【００５４】
図7に、本実施形態の再生シーケンスについてフローチャートを用いて説明する。
【００５５】
図7(a)にて再生表示処理が開始されるとフローチャートに従うシーケンスが開始され、再生SW(113) の選択の状態を判別する(S201)。もし再生SW(113) の状態がON状態に設定されている場合は、次の(S202)へ進み、再生画像がパノラマ画像であるか判別する。もし再生画像がパノラマ画像である場合、次の(S203)へ進みLCD（113）にパノラマ画像の全体を1画面に表示する。
【００５６】
一方、(S201)にて再生SW(113) の状態がOFF状態に設定されている場合は本シーケンスの処理を終了する。
【００５７】
また、(S202)において、再生画像にパノラマ画像が選択されていない場合は通常再生シーケンスを進める(S216)。通常再生シーケンスについては、本発明とは直接関係ないので省略する。
【００５８】
次に(S204)へ進み、拡大再生SW(114)の選択の状態を判別する。もし拡大再生SW(114) の状態がON状態に設定されている場合は、次の(S205)へ進み、パノラマ画像のうち、最初の1画面分の画像データ(例えば、左端、右端、又は下端、上端)をLCD（113）いっぱいに拡大して表示する。
【００５９】
この例では図2(a)に示すようにパノラマ画像データ中の左端の1画面分の画像データを最初に表示させる構成となっている。
【００６０】
次に(S206)へ進み、方向キーSW(115)選択状態を判別する。もし方向キーSW(115)の状態がOFF状態に設定されている場合は(S201)に戻る。
【００６１】
一方、方向キーSW(115)の状態がON状態に設定されている場合は、次の(S207)へ進み、方向キーSW(115)の状態が長押し選択状態か1回選択状態であるかを判別する(S207)。もし方向キーSW(115)の状態が1回選択状態である場合は(S208)へ進み、現在の1画面表示位置を示す図2(a)から図2(b)に示すように方向キーSW(115)と同方向の一番近傍にある主要被写体(203)のエリアの中心座標位置へスキップして表示を行う。
【００６２】
次に図7(b)の (SA01)へ進み、スキップ先の主要被写体(203)に隣接する他の主要被写体(204)が同一の表示画面上に存在するかどうかを判別する。
【００６３】
もし他の主要被写体(204)が同一の表示画面上に存在する場合は(SA02)へ進み、同一の表示画面上に存在する、他の主要被写体(204)が1画面表示範囲の端に存在するかどうかを判別する。
【００６４】
もし、図2(b)に示すように1画面表示範囲の端に主要被写体(204)が存在する場合は(SA03)へ進み、1画面表示範囲の端に存在する他の被写体(204)が片側、もしくは両側の端に存在するかどうかを判別する。
【００６５】
もし、他の被写体(204)が片側に存在する場合(SA04)へ進み、図2(c)に示すように他の主要被写体(204) の存在する領域が1画面表示範囲内に表示されない位置へシフト表示を行う。次に(S206)へ進む。
【００６６】
一方(SA01)にてスキップ先の主要被写体(203)に隣接する他の主要被写体(204)が、同一の表示画面上に存在しない場合は(SA06)へ進み主要被写体を画面の中央に表示する通常の表示(不図示)を行い、(S206)へ進む。
【００６７】
一方(SA02)にて同一の表示画面上に存在する他の主要被写体(204)が、1画面表示範囲の端部に重ならない位置にある場合は(SA06)へ進み主要被写体を画面の中央に表示する通常の表示(不図示)を行い、(S206)へ進む。
【００６８】
一方(SA03)にて図2(d)に示すように1画面表示範囲の両端に他の被写体が存在する場合、次の(SA05)へ進み、図2(e)に示すようにスキップ先の主要被写体(204)を中心に拡大表示を行い、1画面表示範囲の両端の他の主要被写体(203、204)の存在する領域が表示されないようにする。次に(S206)へ進む。
【００６９】
図2に、本実施形態によるパノラマ画像の再生画面表示を表す例を示す。
【００７０】
図2(a)はパノラマ画像のうち、最初の1画面分の画像データ(例えば、左端、右端、又は下端、上端)をLCD（113）いっぱいに拡大して表示した際の例を示す。この例ではパノラマ画像データ中の左端の1画面分の画像データを最初に表示させる構成としている。
【００７１】
図2(b)は方向キーSW(115)の操作により主要被写体(203)のエリアの中心座標位置へスキップして表示した場合の例を示す。この場合、主要被写体(204)が1画面表示範囲の端に存在し、主要被写体(204)が画面から切れて表示されていることを示す。
【００７２】
図2(c)は表示画面を左方向にシフト表示させることで、主要被写体(204)が画面から切れて表示されないよう再生制御を行った場合の表示例である。(206)は画面のシフト領域を示す。ここで示すシフト領域は、主要被写体の顔検知などにより得られた被写体の顔の領域に加え、胴体部や手足を伸ばした状態を考慮した領域としてもよい。
【００７３】
図2(d)は主要被写体(204)のエリアの中心座標位置へスキップして表示した場合の例を示す。この場合、主要被写体(203)と(205)が1画面表示範囲の両端に存在した場合を示し、主要被写体(203)と(205)が画面から切れて表示されている。
【００７４】
図2(e)は主要被写体(204)を中心として表示画面を拡大表示させることで、主要被写体(203)と(205)が画面から切れて表示されないよう再生制御を行った場合の表示例である。(207)と(208)は画面の拡大領域を示す。
【００７５】
上記の通り、複数の撮影画像の繋ぎ合わせにより生成した広角度なパノラマ画像等の再生の際に、パノラマ画像内における主要な被写体が存在するエリアの拡大再生の操作性を向上させる機能を提供することができる。
【００７６】
［実施例３］
サムネイル再生モードには、パノラマ再生モード及び通常再生モードの2つがある。パノラマ再生モードは一連の撮影の中で連続的に取得した、複数の画像をつなぎ合わせて生成されたパノラマ画像がサムネイル画面上に含まれる場合の再生するモードである。
【００７７】
通常再生モードはサムネイル画面上でパノラマ画像の再生を行わない通常再生シーケンスである。本発明とは直接関係ないので説明は省略する。
【００７８】
以下、本発明の実施形態を添付した図面を参照して説明する。
【００７９】
図3はパノラマ画像を含むサムネイル再生表示の概念を説明する説明図、図8はサムネイル画像の再生シーケンスを表すフローチャートである。
【００８０】
図8に、本実施形態のサムネイル再生シーケンスについてフローチャートを用いて説明する。
【００８１】
サムネイル再生表示処理が開始されるとフローチャートに従うシーケンスが開始され、再生SW(113) の選択の状態を判別する(S301)。もし再生SW(113) の状態がON状態に設定されている場合は、次の(S302)へ進み、LCD（113）に表示される再生表示画面の状態がサムネイル表示であるか判別する。もしサムネイル表示の状態である場合、次の(S303)へ進み、サムネイル表示画面上にパノラマ画像が含まれるかどうかを判別する。もしサムネイル表示画面上にパノラマ画像が含まれる場合は次の(S304)へ進む。
【００８２】
一方、(S301)にて再生SW(113) の状態がOFF状態に設定されている場合は本シーケンスの処理を終了する。
【００８３】
また、(S302)にてサムネイル表示の状態が選択されていない場合は(S308)の通常再生シーケンスへ移行する。
【００８４】
また、(S303)にてサムネイル表示画面上にパノラマ画像が含まれない場合も(S308)の通常再生シーケンスへ移行する。通常再生シーケンスを進める(S216)。通常再生シーケンスについては、本発明とは直接関係ないので省略する。
【００８５】
次に(S304)へ進み、図3に示すように1画面上で複数の小さな画像を一覧表示するサムネイル表示画面に表示されるパノラマ画像の表示領域に、パノラマ画像の全体を表示する(この例では図3の右下(209)のエリアに表示)。
【００８６】
次に(S305)へ進み、所定の時間が経過するとパノラマ画像の全体を表示からサムネイル表示1画面分の画像データの表示へ移行し、主要被写体エリアへのスキップ表示を行う。主要被写体エリアへのスキップ表示の処理については実施例2で説明したフローチャート図7(b)におけるフローチャート(SA01)〜(SA06)と同じため割愛する。
【００８７】
次に、(S306)へ進みパノラマ画像内における端の主要被写体までスキップ表示の処理を完了したかどうかを判別し、もし端の主要被写体までスキップ表示を完了した場合、(S301)へ戻る。
【００８８】
一方(S306)にて端の主要被写体までスキップ表示が完了していない場合は(S307)へ進み、次の隣接主要被写体へスキップ表示を行う。次に、(S305）へ戻る。
【００８９】
図3に、本実施形態によるサムネイル表示におけるパノラマ画像の再生画面表示を表す例を示す。
【００９０】
図3はLCD（113）の1画面上で複数の小さな画像を一覧表示するサムネイル画面を表示した例を示す。画面右下の(209)のエリアにパノラマ画像が再生されている場合、パノラマ全体画像の表示に続いて、パノラマ画像内における主要被写体の拡大画像表示(210)→(211)→(212)と4枚の画像を順に切り替えて表示を行う例を示す。
【００９１】
上記の通り、1画面上で複数の小さな画像を一覧表示するサムネイル画面表示等に、複数の撮影画像の繋ぎ合わせにより生成した広角度なパノラマ画像等を表示する際、全体画像とパノラマ画像に含まれる主要被写体の視認性を向上させる機能を提供することができる。
【００９２】
以上、本発明の好ましい実施形態について説明したが、本発明はこれらの実施形態に限定されず、その要旨の範囲内で種々の変形及び変更が可能である。
【００９３】
例えば、本発明は横方向のパノラマ写真についての例を示したが、縦方向のパノラマ写真の構成としてもよい。
【００９４】
また、パノラマ画像に補正して関連付けた主要被写体の座標位置情報を、プリント印刷の際のプリント印刷範囲指定情報として関連づけることで、プリント用紙の端面で主要被写体が切れてしまうことを防止する構成としてもよい。
【符号の説明】
【００９５】
10  光学レンズ
11  イメージセンサ
12  撮像制御回路
13  主要被写体抽出回路
14  レリーズ操作ボタン
15  MENU操作ボタン
16  方向キー操作ボタン
17  再生操作ボタン
18  拡大再生操作ボタン
19  システム制御回路
20  メモリ制御回路
21  画像処理回路
22  記録用メモリ
23  表示部
24  揮発性メモリ
25  不揮発性メモリ
【図１】
2015023522.tif 000003
【図２】
2015023522.tif 000004
【図３】
2015023522.tif 000005
【図４】
2015023522.tif 000006
【図５】
2015023522.tif 000007
【図６】
2015023522.tif 000008
【図７（ａ）】
2015023522.tif 000009
【図７（ｂ）】
2015023522.tif 000010
【図８】
2015023522.tif 000011